(57)【特許請求の範囲】
【請求項１】
画像データを記憶蓄積するとともに、その記憶領域が複数のブロックに区分された蓄積手段と、
前記蓄積手段に記憶蓄積された画像データを該蓄積手段から読み出す際の各ブロックの読み出し時間を予測する時間予測手段と、
前記蓄積手段から読み出した画像データに画像形成処理を行う画像形成手段と、
前記時間予測手段が予測した複数ブロック分についての読み出し時間及び前記画像形成手段での画像形成処理の処理速度を基に、前記蓄積手段からの画像データの読み出しを開始してから該画像データについての画像形成処理を前記画像形成手段が開始するまでの時間が最短となるように、前記画像形成手段での画像形成処理の開始タイミングを決定する決定手段とを備えることを特徴とする画像形成装置。
【請求項２】
前記蓄積手段内における画像データの記憶位置を認識する認識手段が設けられるとともに、
前記時間予測手段は、前記認識手段に認識された記憶位置に基づいて前記読み出し時間の予測を行うものであることを特徴とする請求項１記載の画像形成装置。
【請求項３】
前記蓄積手段に記憶蓄積された画像データのデータ量を検出するデータ量検出手段が設けられるとともに、
前記時間予測手段は、前記データ量検出手段に検出されたデータ量に基づいて前記読み出し時間の予測を行うものであることを特徴とする請求項１記載の画像形成装置。
【請求項４】
前記蓄積手段が画像データを記憶蓄積した際の書き込み時間を測定する時間計測手段が設けられるとともに、
前記時間予測手段は、前記時間計測手段が測定した書き込み時間を基に前記読み出し時間の予測を行うものであることを特徴とする請求項１記載の画像形成装置。
【請求項５】
前記蓄積手段から画像データを読み出した際の読み出し時間を測定する時間計測手段が設けられるとともに、
前記時間予測手段は、前記時間計測手段が測定した読み出し時間を基に、新たに前記蓄積手段から画像データを読み出す際の読み出し時間を予測するものであることを特徴とする請求項１記載の画像形成装置。
【発明の詳細な説明】
【０００１】
【発明の属する技術分野】
本発明は、コピー機能、ファクシミリ機能、あるいはプリンタ機能を備え、画像データを可視画像化する画像形成装置に関するものである。
【０００２】
【従来の技術】
従来、画像形成装置としては、例えば特開平５−３８８６５号公報や特開平６−１００２３１号公報に開示されているように、画像データを一旦装置内で記憶蓄積することにより、画像形成の効率向上を実現したものが提案されている。これらの画像形成装置では、画像データをハードディスク装置等の二次記憶装置に記憶蓄積するようになっている。ただし、二次記憶装置は、装置内の他の処理部に比べてその処理速度が低速である。そのために、これらの画像形成装置では、処理速度の差を緩衝するために、ＲＡＭ（Ｒａｎｄｏｍ  Ａｃｃｅｓｓ  Ｍｅｍｏｒｙ）等の一次記憶装置も備えており、この一次記憶装置をバッファメモリとして用いるようになっている。
【０００３】
また、近年では、より一層の画像形成の高速化が求められている。そこで、例えば特開平６−１３１１２６号公報には、画像データを二次記憶装置に記憶蓄積させる際に、画像データをハードディスクの高速ゾーンと低速ゾーンに分割記録を行うことにより、スループットの向上、すなわち画像データの二次記憶装置からの読み出しの高速化を実現した装置が開示されている。
【０００４】
【発明が解決しようとする課題】
ところで、従来の画像形成装置、すなわち画像データを装置内に記憶蓄積する画像形成装置では、二次記憶装置に記憶蓄積された画像データに対する画像形成を行う場合に、所定量（例えば記録用紙１ページ分）の画像データが二次記憶装置から読み出されて一次記憶装置内に格納された後に、その画像データについての画像形成を開始するようになっている。つまり、所定量の画像データが一次記憶装置内に格納されるまでは、画像形成の開始が待たされてしまう。
【０００５】
また、画像データをハードディスクの高速ゾーンと低速ゾーンに分割記録すればスループットの向上が可能になるが、この場合には、必ず高速ゾーンと低速ゾーンとを組み合わせてアクセスすることになり、ハードディスクへのアクセスに対する管理が煩雑なものとなってしまう。さらに、ハードディスク上における残存データ量の増大に伴って、ハードディスク上の連続した領域へのアクセスが困難となってしまうので、さらなる管理の煩雑化を招いてしまう。
【０００６】
そこで、本発明は、二次記憶装置に対する管理を煩雑なものとすることなく、より一層の画像形成の高速化を実現することのできる画像形成装置を提供することを目的とする。
【０００７】
【課題を解決するための手段】
本発明は、上記目的を達成するために案出された画像形成装置で、画像データを記憶蓄積するとともに、その記憶領域が複数のブロックに区分された蓄積手段と、前記蓄積手段に記憶蓄積された画像データを該蓄積手段から読み出す際の各ブロックの読み出し時間を予測する時間予測手段と、前記蓄積手段から読み出した画像データに画像形成処理を行う画像形成手段と、前記時間予測手段が予測した複数ブロック分についての読み出し時間及び前記画像形成手段での画像形成処理の処理速度を基に、前記蓄積手段からの画像データの読み出しを開始してから該画像データについての画像形成処理を前記画像形成手段が開始するまでの時間が最短となるように、前記画像形成手段での画像形成処理の開始タイミングを決定する決定手段とを備えることを特徴とするものである。
【０００８】
上記構成の画像処理装置によれば、時間予測手段が蓄積手段からの画像データの読み出し時間を予測するとともに、決定手段がその読み出し時間及び画像形成手段での画像形成処理の処理速度を基に画像形成処理の開始タイミングを決定する。そして、その開始タイミングに従って、蓄積手段からの画像データの読み出しが完了する前に、画像形成手段がその画像データについての画像形成を開始する。
したがって、この画像処理装置では、画像形成手段が画像形成処理を行う場合に、その処理の開始が、蓄積手段からの画像データの読み出しが完了するまで待たされてしまうことがない。さらには、画像データの読み出しに対する煩雑な管理を必要としない。
【０００９】
【発明の実施の形態】
以下、図面に基づき本発明に係わる画像形成装置について説明する。
【００１０】
図１に示すように、本実施の形態の画像形成装置１は、イメージスキャナ２、ファクシミリ（以下、ＦＡＸと略す）サーバ３、及びローカルエリアネットワーク（以下、ＬＡＮと略す）サーバ４に接続されて用いられるものである。
イメージスキャナ２は、画像データを光学的に読み取るものである。
ＦＡＸサーバ３は、公衆回線上のＦＡＸ装置から画像データを受信するものである。
ＬＡＮサーバ４は、ＬＡＮ上に設けられたワークステーション等から画像データを受信するものである。
したがって、画像形成装置１では、これらイメージスキャナ２、ＦＡＸサーバ３、あるいはＬＡＮサーバ４から、画像データを受け取るようになっている。
【００１１】
また、画像形成装置１は、ＣＰＵ（Ｃｅｎｔｒａｌ  Ｐｒｏｃｅｓｓｉｎｇ  Ｕｎｉｔ  ）１１と、ＲＯＭ（Ｒｅａｄ  Ｏｎｌｙ  Ｍｅｍｏｒｙ  ）１２と、ＲＡＭ（Ｒａｎｄｏｍ  Ａｃｃｅｓｓ  Ｍｅｍｏｒｙ）１３と、操部１４と、圧縮器１５と、画像バッファメモリ１６と、データ蓄積部１７と、伸長器１８と、画像形成部１９と、データ量検出部２０と、時間計測部２１と、起動制御部２２とを備えてなるものである。
【００１２】
ＣＰＵ１１は、画像形成装置１全体の動作制御を行うものである。
ＲＯＭ１２は、ＣＰＵ１１による動作制御に必要な制御プログラムを格納しているものである。
ＲＡＭ１３は、ＣＰＵ１１が動作制御を行う際のワークエリアとして使用されるものである。
操作部１４は、画像形成装置１の使用者（ユーザ）が画像形成装置１に対する動作指示を与えるためのものである。
【００１３】
圧縮器１５は、イメージスキャナ２、ＦＡＸサーバ３、あるいはＬＡＮサーバ４から受け取った画像データに、例えばＪＰＥＧ方式のような圧縮方式によるデータ圧縮処理を行うものである。
画像バッファメモリ１６は、例えばＲＡＭ等の一次記憶装置からなるもので、圧縮器１５が圧縮した圧縮画像データを一時的に保持するものである。ただし、圧縮器１５がデータ圧縮処理を行わない場合には、画像バッファメモリ１６は、受け取った画像データをそのまま保持するようになっている。
【００１４】
データ蓄積部１７は、例えばハードディスク装置、光ディスク装置、あるいは光磁気ディスク装置等の二次記憶装置からなるもので、画像バッファメモリ１６に保持された圧縮画像データまたは画像データをこの画像バッファメモリ１６から受け取って記憶蓄積するとともに、記憶蓄積した中から出力しようとする圧縮画像データまたは画像データを画像バッファメモリ１６に送出して再度保持させるものである。
ただし、このデータ蓄積部１７では、その記憶領域が、ハードディスクまたは光ディスクのセクタサイズに等しいか、あるいはその整数倍に設定された複数のブロックに区分されており、これらのブロックを用いて圧縮画像データまたは画像データを記憶蓄積するようになっている。また、データ蓄積部１７では、圧縮画像データまたは画像データを記憶蓄積する際に、これらを記憶するブロックの位置（記憶位置）とその連続性とを認識するようになっている。
つまり、データ蓄積部１７は、本発明における蓄積手段及び認識手段として機能するものである。
【００１５】
伸長器１８は、画像バッファメモリ１６が保持している圧縮画像データにデータ伸長処理を行って、この圧縮画像データを圧縮前の状態に伸長するものである。
画像形成部１９は、画像バッファメモリ１６が保持している画像データ、もしくは伸長器１８が伸長した画像データを基に画像形成処理を行い、これを記録用紙等の媒体に可視画像として出力するものである。つまり、画像形成部１９は、本発明における画像形成手段として機能するものである。
【００１６】
データ量検出部２０は、データ蓄積部１７が記憶蓄積する圧縮画像データについて、その圧縮画像データの圧縮前のデータ量及び圧縮率を、データ蓄積部１７内の各ブロック毎に検出するものである。つまり、データ量検出部２０は、本発明におけるデータ量検出手段として機能するものである。なお、データ量検出部２０では、検出結果をＲＡＭ１３に保持させるようになっている。
【００１７】
時間計測部２１は、データ蓄積部１７が圧縮画像データまたは画像データを記憶蓄積する際に費やした書き込み時間を、データ蓄積部１７内の各ブロック毎に測定するものである。さらに、時間計測部２１は、データ蓄積部１７が圧縮画像データまたは画像データを画像バッファメモリ１６へ送出した際に費やした読み出し時間を、データ蓄積部１７内の各ブロック毎に測定するものである。つまり、時間計測部２１は、本発明における時間計測手段として機能するものである。なお、時間計測部２１では、測定結果をＲＡＭ１３に保持させるようになっている。
【００１８】
起動制御部２２は、データ量検出部２０での検出結果または時間計測部２１での測定結果と、伸長器１８または画像形成部１９における処理速度とに基づいて、出力しようとする画像データをデータ蓄積部１７から読み出すのに必要な読み出し時間を予測するものであり、さらには予測した読み出し時間に基づいて、画像形成部１９がその画像データについての画像形成処理を開始するタイミングを決定するものである。つまり、起動制御部２２は、本発明における時間予測手段及び決定手段として機能するものである。
【００１９】
次に、以上のように構成された画像形成装置１において、受け取った画像データを記憶蓄積する場合の動作例について、図２のフローチャートを参照しながら説明する。
【００２０】
イメージスキャナ２、ＦＡＸサーバ３、あるいはＬＡＮサーバ４から画像データを受け取ると、この画像形成装置１では、その画像データを図示しないバッファに一旦蓄積する。このバッファが一定量の画像データを蓄積すると、圧縮器１５は、その画像データに対するデータ圧縮処理を開始し（ステップ１０１、以下ステップをＳと略す）、データ圧縮処理後の圧縮画像データを画像バッファメモリ１６に保持させる。ただし、データ圧縮処理を必要としない場合には、圧縮器１５を介さずに直接画像バッファメモリ１６に保持させてもよい。
【００２１】
このとき、データ量検出部２０では、圧縮器１５がデータ圧縮処理を開始してからデータ蓄積部１７内のブロック１つ分の圧縮画像データの圧縮を完了するまで待ち（Ｓ１０２）、１ブロック分の圧縮画像データの圧縮が完了した時点で、その圧縮画像データの圧縮前のデータ量を検出し、さらにはその圧縮画像データについての圧縮率を算出する（Ｓ１０３）。なお、圧縮前のデータ量については、１ブロック分の圧縮画像データを得るために圧縮器１５に入力された画像データのデータ量から求められる。また、圧縮率については、圧縮前のデータ量と圧縮後のデータ量とから求めることが可能である。
【００２２】
１ブロック分の圧縮画像データの圧縮前データ量及びその圧縮率を求めると、データ量検出部２０は、その結果を基にデータ量・圧縮率テーブルを作成し、圧縮前データ量及びその圧縮率を各ブロック毎にＲＡＭ１３に保持させる（Ｓ１０４）。そして、これを全ブロックについて完了したか否かを判断し（Ｓ１０５）、完了していなければ全ブロックについて完了するまで上述の処理を繰り返す（Ｓ１０２〜Ｓ１０５）。
【００２３】
圧縮前データ量及びその圧縮率の検出が全ブロックについて完了し、かつ、その全ブロック分の圧縮画像データが画像バッファメモリ１６に保持されると、続いて、ＣＰＵ１１は、画像バッファメモリ１６からデータ蓄積部１７への圧縮画像データの転送を開始する（Ｓ１０６）。ただし、全ブロック分の圧縮画像データが画像バッファメモリ１６に保持されていなくても、データ蓄積部１７への最小転送単位分の圧縮画像データが画像バッファメモリ１６に保持されていれば、データ蓄積部１７への転送を開始してもよい。この場合には、圧縮器１５でのデータ圧縮処理に並行して、データ蓄積部１７への転送処理を行うことになる。
【００２４】
ＣＰＵ１１がデータ蓄積部１７への転送処理を開始すると、時間計測部２１では、１ブロック分の圧縮画像データの転送が完了するまで待ち（Ｓ１０７）、１ブロック分の圧縮画像データの転送が完了すると、そのときに費やした時間、すなわち１ブロック分の圧縮画像データのデータ蓄積部１７への書き込み時間を測定する（Ｓ１０８）。なお、書き込み時間については、転送を開始した時刻とその転送を完了した時刻とから求めればよい。
【００２５】
１ブロック分の圧縮画像データについての書き込み時間を求めると、時間計測部２１は、その結果を基に書き込み時間テーブルを作成し、データ蓄積部１７への書き込み時間を各ブロック毎にＲＡＭ１３に保持させる（Ｓ１０９）。そして、これを全ブロックについて完了したか否かを判断し（Ｓ１１０）、完了していなければ全ブロックについて完了するまで上述の処理を繰り返す（Ｓ１０６〜Ｓ１１０）。
なお、最終ブロックに関しては、圧縮画像データのデータ量が１ブロック分に満たないことも考えられるが、その場合にはその最終ブロックのデータ量（あるいはブロックサイズ）もＲＡＭ１３保持させておく。
【００２６】
また、ＣＰＵ１１は、データ蓄積部１７から画像バッファメモリ１６への圧縮画像データの転送、すなわちデータ蓄積部１７からの圧縮画像データの読み出しも行う。
このとき、時間計測部２１では、図３のフローチャートに示すように、データ蓄積部１７からの圧縮画像データの読み出しが開始されると（Ｓ１１１）、１ブロック分の圧縮画像データの読み出しが完了するまで待ち（Ｓ１１２）、これが完了するとそのときに費やした時間、すなわち１ブロック分の圧縮画像データの読み出し時間を測定する（Ｓ１１３）。そして、時間計測部２１は、その結果を基に読み出し時間テーブルを作成し、データ蓄積部１７からの読み出し時間を各ブロック毎にＲＡＭ１３に保持させる（Ｓ１１４）。これを、全ブロックについて完了するまで繰り返し行う（Ｓ１１１〜Ｓ１１５）。
なお、最終ブロックに関しては、圧縮画像データのデータ量が１ブロック分に満たないことも考えられるが、その場合にはその最終ブロックのデータ量（あるいはブロックサイズ）もＲＡＭ１３保持させておく。
【００２７】
次に、この画像形成装置１において画像形成処理を開始する場合の動作例、すなわち本発明の特徴的な点である画像形成処理の開始タイミングの決定について、図４のフローチャート及び図５の説明図を参照しながら説明する。
【００２８】
図４に示すように、この画像形成装置１では、データ蓄積部１７から読み出された圧縮画像データについての画像形成処理を画像形成部１９が行うにあたって、先ず、起動制御部２２が画像形成処理の開始タイミングを決定する（Ｓ２０１）。
【００２９】
ここで、起動制御部２２による画像形成処理の開始タイミングの決定について、詳細に説明する。
図５に示すように、画像形成部１９は、起動された後、一定速度で画像形成処理を行うため、処理される画像データのデータ量とそれに要する時間とは正比例の関係にある（図中Ａ：画像形成処理参照）。一方、データ蓄積部１７からの圧縮画像データの読み出しは、圧縮画像データ１ブロック分の読み出しに要する時間を「ｘ」、読み出した圧縮画像データを伸長した後のデータ量を「ｙ」とすると、各ブロック毎に異なるものとなる（図中Ｂ：１ブロック分の読み出し処理参照）。
【００３０】
よって、伸長器１８でのデータ伸長処理に要する時間を「ｔ」とすると、画像形成部１９での画像形成処理を正常に行うためには、データ蓄積部１７からの画像データの読み出しを開始してから画像形成部１９を起動するまでに「Ｔ」時間を置くことが必要になる。なお、従来のものは、所定量（例えば記録用紙１ページ分：図中Ｃ参照）の画像データが画像バッファメモリ１６に保持された後に、画像形成部１９が起動するようになっている（図中Ｄ参照）。
【００３１】
ただし、画像形成部１９で処理するデータ量と時間の関係（図中Ａの直線）と、伸長器１８での処理時間（「ｔ」の値）とは、画像形成装置１に固有のものであり可変要素ではない。したがって、「Ｔ」の値は、各ブロックの「ｘ」及び「ｙ」を求めれば決定することができる。
【００３２】
各ブロックの「ｘ」、すなわち各ブロックの読み出し時間は、データ蓄積部１７がハードディスク装置や光ディスク装置等であれば、データの書き込み時間と読み出し時間との間に相関関係があるので、時間計測部２１が検出した書き込み時間から予測することが可能となる。また、既にデータ蓄積部１７から読み出したことのある画像データであれば、時間計測部２１が検出した読み出し時間を基に、その値にばらつきの要素を付加し、新たに読み出そうとする際の「ｘ」を予測することも可能である。
さらには、データ蓄積部１７がハードディスク装置や光ディスク装置等であれば、データの記憶位置（ブロックの位置）、その位置の連続性、装置の性能（平均シークタイムや平均アクセスタイムなど）等を基に、各ブロックの「ｘ」を予測してもよい。
一方、各ブロックの「ｙ」、すなわち各ブロックの画像データのデータ量は、データ量検出部２０が検出したデータ量または圧縮率から求めることができる。
【００３３】
このようにして、起動制御部２２は、各ブロックの「ｘ」及び「ｙ」を求める。そして、予め定められた複数ブロック分についての「ｘ」及び「ｙ」を求めると、起動制御部２２は、これらを基に、「Ｔ」の値が最短になるように決定する。つまり、起動制御部２２は、複数ブロック分の「ｘ」及び「ｙ」を求めることによって、所定量の画像データについての読み出し時間を予測し、その結果を基に、画像形成処理の開始タイミングを決定する。
【００３４】
起動制御部２２が画像形成処理の開始タイミングを決定すると、図４に示すように、ＣＰＵ１１は、データ蓄積部１７からの圧縮画像データの読み出しを開始して、読み出した圧縮画像データを画像バッファメモリ１６に保持させる（Ｓ２０２）。
ここで、起動制御部２２は、画像形成処理の開始タイミングとなったか否かを判断する（Ｓ２０３）。
【００３５】
画像形成処理の開始タイミングとならなければ、ＣＰＵ１１は、データ蓄積部１７から読み出そうとする圧縮画像データの全ブロックについて、データ蓄積部１７から画像バッファメモリ１６への転送が完了したしたか否かを判断し（Ｓ２０４）、完了していなければ次のブロックの読み出しを開始する（Ｓ２０２）。
【００３６】
また、起動制御部２２が画像形成処理の開始タイミングとなったと判断すれば、ＣＰＵ１１は、伸長器１８及び画像形成部１９に、画像形成処理の開始指示を与える（Ｓ２０５）。ＣＰＵ１１からの画像形成処理開始指示があると、伸長器１８は、画像バッファメモリ１６が保持している圧縮画像データに対して、順次データ伸長処理を行って、この圧縮画像データを圧縮前の状態に伸長する。そして、画像形成部１９は、伸長器１８によって伸長された画像データを基に画像形成処理を行い、これを記録用紙等の媒体に可視画像として出力する。
【００３７】
以上のように、本実施の形態の画像形成装置１では、データ蓄積部１７からの画像データの読み出し時間を予測して、画像形成処理の開始タイミングを決定するとともに、これに従って、データ蓄積部１７から画像バッファメモリ１６への画像データの転送が完了する前に、その画像データについての画像形成処理を画像形成部１９が開始するようになっている。
【００３８】
したがって、この画像処理装置１では、画像形成部１９が画像形成処理を行う場合に、その処理の開始が、データ蓄積部１７から画像バッファメモリ１６への画像データの転送が完了するまで待たされてしまうことがない。これにより、この画像処理装置１では、従来のものより一層の画像形成の高速化が実現できる。また、この画像処理装置１では、例えば高速ゾーンと低速ゾーンとの分割記録のようなデータ蓄積部１７に対する煩雑な管理を必要としない。よって、画像形成の高速化の実現を容易に達成できるようになる。
つまり、この画像処理装置１を用いて画像形成処理を行えば、短時間で画像出力を得ることが可能となり、画像形成装置としての生産性の向上に繋がることになる。
【００３９】
また、本実施の形態の画像形成装置１は、データ蓄積部１７によって認識されたデータの記憶位置、データ量検出部２０に検出されたデータ量、あるいは時間計測部２１が測定した書き込み時間や読み出し時間などを基に、起動制御部２２が所定量の画像データについての読み出し時間を予測するようになっている。したがって、起動制御部２２が予測する読み出し時間は、正確なものとなる。これにより、起動制御部２２は、「Ｔ」の値、すなわち画像形成処理の開始タイミングを決定する際に、安全率（マージン）の度合いを小さくすることができるので、結果としてより一層の高速化が実現できる。
【００４０】
なお、本実施の形態では、データ蓄積部１７内の各ブロック毎に、データ量の検出、書き込み時間及び読み出し時間の測定、開始タイミングを決定する際の読み出し時間の予測等、を行う場合について説明したが、本発明は、これに限定されるものではなく、例えば画像データ（ジョブ）単位や各ページ単位で行う場合であっても適用可能であり、その場合にも同様の効果を得ることができる。
【００４１】
【発明の効果】
以上に説明したように、本発明の画像処理装置は、蓄積手段からの画像データの読み出し時間を予測することにより、最適なタイミングで画像形成処理を開始することが可能になる。したがって、この画像処理装置では、蓄積手段からの画像データの読み出しが完了するまで、画像形成手段での画像形成処理が待たされてしまうことがなく、従来のものより画像形成の高速化が実現できる。また、そのために蓄積手段に対する煩雑な管理を必要としない。つまり、画像形成の高速化の実現を容易に達成できるようになる。
よって、この画像処理装置を用いて画像形成処理を行えば、短時間で画像出力が得られるようになり、結果として装置全体としての生産性の向上に繋がるという効果が得られる。
【図面の簡単な説明】
【図１】本発明に係わる画像形成装置の実施の形態の一例の概略構成を示すブロック図である。
【図２】図１の画像形成装置において画像データを記憶蓄積する場合の動作例を示すフローチャートである。
【図３】図１の画像形成装置において記憶蓄積された画像データを読み出す場合の動作例を示すフローチャートである。
【図４】図１の画像形成装置において画像形成処理を開始する場合の動作例を示すフローチャートである。
【図５】画像データの読み出し時間と画像形成の処理速度との関係を示す説明図である。
【符号の説明】
１  画像形成装置
１６  画像バッファメモリ
１７  データ蓄積部
１９  画像形成部
２０  データ量検出部
２１  時間計測部
２２  起動制御部
【図１】
0003552433.tif 000002
【図２】
0003552433.tif 000003
【図３】
0003552433.tif 000004
【図４】
0003552433.tif 000005
【図５】
0003552433.tif 000006